(57)【要約】      （修正有）【課題】タンクに設置されたコラム部材内の基準位置にポンプを容易かつ迅速に据え付けるのを可能にするポンプ据付用リフトシャフト支持構造を提供する。【解決手段】ポンプ据付用リフトシャフト支持構造１０は、取扱液を収容可能なタンクに設置されるコラム部材１２の上端に取り付けられるヘッドプレート２４を貫通して設けられ下端部にケーブルの上端側が連結されるリフトシャフト２２と、リフトシャフト２２が挿通された状態でヘッドプレート２４に対して固定される固定部材と、固定部材とリフトシャフト２２の上端部に固定されたフランジ部との間に挟持された状態で配置される所定長さのカラー部材とを備える。カラー部材は、リフトシャフト２２に対して側方から嵌め込み可能にするための切欠部が形成されている。【選択図】図１
0003155306.tif 000002
【実用新案登録請求の範囲】
【請求項１】
取扱液を収容可能なタンク内からタンク外部にまで延びる筒状のコラム部材の上端部に取り付けられるヘッドプレートに設けられ、前記コラム部材内を延伸する吊り下げ部材の下端に吊り下げられたポンプが前記コラム部材内の最下部近傍の基準位置に据え付けられるように前記吊り下げ部材の上端側をリフトシャフトで支持するためのポンプ据付用リフトシャフト支持構造であって、
ヘッドプレートを貫通して設けられ、下端部に前記吊り下げ部材の上端側が連結されるリフトシャフトと、
前記リフトシャフトが挿通された状態で前記ヘッドプレートに対して固定される固定部材と、
前記固定部材と前記リフトシャフトの上端部に固定されたフランジ部との間に挟持された状態で配置される所定長さのカラー部材と、を備え、
前記カラー部材は、前記リフトシャフトに対して側方から嵌め込み可能にするための切欠部が形成されていることを特徴とする、ポンプ据付用リフトシャフト支持構造。
【請求項２】
請求項１に記載のポンプ据付用リフトシャフト支持構造において、
前記カラー部材は、筒状部材に前記リフトシャフトを横方向から受け入れ可能とする前記切欠部を形成することにより略Ｃ字状横断面をなしていることを特徴とするポンプ据付用リフトシャフト支持構造。
【請求項３】
請求項１または２に記載のポンプ据付用リフトシャフト支持構造において、
前記カラー部材は、複数種類の異なる長さのものが準備されていることを特徴とするポンプ据付用リフトシャフト支持構造。
【請求項４】
請求項３に記載のポンプ据付用リフトシャフト支持構造において、
前記カラー部材は、同じ又は異なる所定長さのものが２つ以上連結して用いられるとき、前記各連結部において凹凸嵌合により連結されるよう端部が形成されていることを特徴とするポンプ据付用リフトシャフト支持構造。
【請求項５】
請求項１から４のいずれか１に記載のポンプ据付用リフトシャフト支持構造において、
前記固定部材は、前記ヘッドプレートに固定され内周面に雌ねじ部が形成されている固定部と、外周面に形成された雄ねじ部が前記固定部の雌ねじ部に螺合して取り付けられ前記リフトシャフトの上端部のフランジ部との間で前記カラー部材を挟持する調整部とを含むことを特徴とするポンプ据付用リフトシャフト支持構造。
【考案の詳細な説明】
【技術分野】
【０００１】
本考案は、ポンプ据付用リフトシャフト支持構造に係り、特に、取扱液を収容可能なタンク内からタンク外部にまで延びる筒状のコラム部材内の最下部近傍の基準位置に吊り下げ部材でポンプを吊り下げ支持するためにコラム部材上端で前記吊り下げ部材をリフトシャフトにより固定支持するポンプ据付用リフトシャフト支持構造に関する。
【背景技術】
【０００２】
従来、例えば液化天然ガス等の取扱液を貯蔵したタンクから取扱物を所望量取り出すために、例えば低温用サブマージドポンプが好適に用いられる。このような低温用サブマージドポンプ（以下、単に「ポンプ」という。）は、タンクが建造されて取扱物がタンクに収容される前に、タンクに設置されたコラム部材内の最下部近傍の基準位置に据え付けられる。その様子を図５に示す。
【０００３】
図５（ａ）は、タンク１に設置されている円筒状のコラム部材１２内の最下部近傍の基準位置にポンプＰが据え付けられようとしている様子を概略的に示し、図５（ｂ）はコラム部材１２内の最下部近傍の基準位置にポンプＰが据え付けられた様子を概略的に示している。
【０００４】
図５（ａ）を参照すると、コラム部材１２は、タンク１の底部の底部２近傍から上方へ真っ直ぐにタンク外部３まで延びる例えば円筒状の部材である。コラム部材１２の下端部には、コラム部材１２の軸方向に移動して開閉可能なフートバルブ１４が設けられている。一方、タンク外部３に位置するコラム部材１２の上端部には、外周外側へ突出するフランジ部１６が形成されている。
【０００５】
コラム部材１２内のポンプＰは、ケーブル１８の下端部が連結されて吊り下げ支持されている。ケーブル１８の上端側はコネクションプレート２０を介してリフトシャフト２２の下端部に連結されている。
【０００６】
コラム部材１２の上端部のフランジ部１６には、中心部に貫通穴が形成された円板状のヘッドプレート２４がボルトおよびナット等の適当な締結手段によって取り付けられている。ヘッドプレート２４の中央上部には、円筒状の支持部材２６が立設されている。リフトシャフト２２の上端部は、ヘッドプレート２４の中心貫通穴および支持部材２６を貫通して上方へ突出している。そして、リフトシャフト２２の上端部は、ホイストまたは巻上機４のフックに秤５およびチェーンブロック６を介して吊り下げられている。
【０００７】
コラム部材１２内にポンプＰを据え付けるとき、タンク１の底部２に１人のタンク内作業者７と、タンク外部３に少なくとも１人（図５においては２人）のタンク外作業者８とがいる。各作業者７，８は、例えば携帯無線機を所持しており、互いに連絡をとり合うことができる。
【０００８】
タンク内作業者７は、図５（ｂ）に示すように、コラム部材１２の最下部に設けられたフートバルブ１４がコラム部材１２内のポンプＰによって押し下げられて開弁したときの開度寸法を測ることにより、コラム部材１２内のポンプＰが基準位置に正確に据え付けられたか否かを確認することができる。ポンプＰは、設計された吸い上げ性能を十分に発揮するために、コラム部材１２内において例えば基準位置±数ｍｍの精度で据え付けられる必要がある。タンク内作業者７は、フートバルブ１４の開度寸法を実測し、ポンプＰの基準位置までの降ろし寸法または引き上げ寸法を携帯無線機でタンク外作業者８に連絡する。
【０００９】
タンク外作業者８は、チェーンブロック６を操作することにより、リフトシャフト２２およびケーブル１８を介して吊り下げられたポンプＰを降下させ、または、引き上げることができる。ただし、チェーンブロック６によるポンプＰの上下移動では、上記のように基準位置±数ｍｍといった精度でポンプＰを据え付けるのは困難である。そのため、これまでは、ポンプＰの上下位置の微調整を可能にするために、リフトシャフト２２の下端部とコネクションプレート２０との間にターンバックルを配置していた。
【考案の概要】
【考案が解決しようとする課題】
【００１０】
図６は、リフトシャフト２２の下端部とコネクションプレート２０とがターンバックル２８を介して連結された従来のポンプ据付用リフトシャフト支持構造１１を示す。ターンバックル２８は、ヘッドプレート２４の下方であってコラム部材１２内に位置している。そのため、ターンバックル２８にアクセスして調整しようとすると、タンク外作業者８は、コラム部材１２のフランジ部１６からヘッドプレート２４を持ち上げる必要があり、ターンバックル２８を回転させて調整した後にヘッドプレート２４を再び降ろしてポンプＰが基準位置±数ｍｍの位置に納まっているか否かをタンク内作業者７が確認しなければならなかった。
【００１１】
この微調整作業は１回で完了できればよいが、何度か繰り返してようやく完了となる場合が多い。また、ターンバックル２８による微調整が完了しても、その後にターンバックル２８が振動等に起因して回転しないようカシメ固定するためにヘッドプレート２４を再び持ち上げなければならなかった。このように従来のターンバックルを用いてのポンプ据え付け位置の微調整は、非常に煩雑な作業になっていた。
【００１２】
また、上記のように、コラム部材１２のフランジ部１６に対してヘッドプレート２４を繰り返し上げ下げするとき、最終的にコラム部材１２のフランジ部１６とヘッドプレート２４間を気密状態にシールすることとなるガスケット３０が損傷しないように、ガスケット３０よりも厚いシム部材３２をコラム部材１２のフランジ部１６とヘッドプレート２４との間に咬ませて上記のような微調整作業を行っていた。この場合、シム部材３２の厚み分を考慮したうえでポンプＰが基準位置±数ｍｍ内に納まっているかを判断しなければならず、特にポンプＰの据え付けに不慣れな作業者にとっては煩雑で間違いを生じやすいという問題もあった。
【００１３】
本考案の目的は、タンクに設置されたコラム部材内の基準位置にポンプを容易かつ迅速に据え付けるのを可能にするポンプ据付用リフトシャフト支持構造を提供することにある。
【課題を解決するための手段】
【００１４】
本考案に係るポンプ据付用リフトシャフト支持構造は、取扱液を収容可能なタンク内からタンク外部にまで延びる筒状のコラム部材の上端部に取り付けられるヘッドプレートに設けられ、前記コラム部材内を延伸する吊り下げ部材の下端に吊り下げられたポンプが前記コラム部材内の最下部近傍の基準位置に据え付けられるように前記吊り下げ部材の上端側をリフトシャフトで支持するためのポンプ据付用リフトシャフト支持構造であって、ヘッドプレートを貫通して設けられ、下端部に前記吊り下げ部材の上端側が連結されるリフトシャフトと、前記リフトシャフトが挿通された状態で前記ヘッドプレートに対して固定される固定部材と、前記固定部材と前記リフトシャフトの上端部に固定されたフランジ部との間に挟持された状態で配置される所定長さのカラー部材と、を備え、前記カラー部材は、前記リフトシャフトに対して側方から嵌め込み可能にするための切欠部が形成されていることを特徴とする。
【００１５】
本考案に係るポンプ据付用リフトシャフト支持構造において、前記カラー部材は、筒状部材に前記リフトシャフトを横方向から受け入れ可能とする前記切欠部を形成することにより略Ｃ字状横断面をなしていてもよい。
【００１６】
また、本考案に係るポンプ据付用リフトシャフト支持構造において、前記カラー部材は、複数種類の異なる長さのものが準備されていることが好ましい。
【００１７】
また、本考案に係るポンプ据付用リフトシャフト支持構造において、前記カラー部材は、異なる所定長さのものが２つ以上連結して用いられるとき、前記各連結部において凹凸嵌合により連結されるよう端部が形成されていることが好ましい。
【００１８】
さらに、本考案に係るポンプ据付用リフトシャフト支持構造において、前記固定部材は、前記ヘッドプレートに固定され内周面に雌ねじ部が形成されている固定部と、外周面に形成された雄ねじ部が前記固定部の雌ねじ部に螺合して取り付けられ前記リフトシャフトの上端部のフランジ部との間で前記カラー部材を挟持する調整部とを含んでもよい。
【考案の効果】
【００１９】
本考案に係るポンプ据付用リフトシャフト支持構造では、コラム部材の上端部にヘッドプレートを取り付けた状態でヘッドプレートに固定された固定部材を貫通して上方に延びるリフトシャフトをホイスト、クレーン等の巻上機でリフトシャフトを支持した状態で、固定部材の上方に露出したリフトシャフトに対して所定長さのカラー部材を側方から切欠部を介して嵌め込む。それから、上記巻上機によるリフトシャフトの支持を解除すると、リフトシャフトはその上端部のフランジ部とヘッドプレート上の固定部材との間に挟持されたカラー部材によって支持される。これにより、所定長さのカラー部材を適切に選択する、または組み合わせて連結することによって、リフトシャフトの下端部に吊り下げ部材を介して吊り下げられたポンプをコラム部材内の最下部近傍の基準位置に容易かつ迅速に精度よく据え付けることができる。
【図面の簡単な説明】
【００２０】
【図１】図１は、本考案の一実施の形態であるポンプ据付用リフトシャフト支持構造を含むコラム部材の上端部およびその周辺を示す図である。
【図２】図２は、図１中の符合Ａで示す部分の拡大図である。
【図３】図３は、出荷時にリフトシャフトをスペーサ部材で浮かせた状態に保持されている様子を示す図である。
【図４】図４は、図３に示すスペーサカラーが取り外される様子を示す図である。
【図５】図５（ａ）は、タンクに設置されている円筒状のコラム部材内の最下部近傍の基準位置にポンプが据え付けられようとしている様子を概略的に示す図、図５（ｂ）はコラム部材内の最下部近傍の基準位置にポンプが据え付けられた様子を概略的に示す図である。
【図６】図６は、リフトシャフトの下端部とコネクションプレートとがターンバックルを介して連結された従来のポンプ据付用リフトシャフト支持構造を示す図である。
【考案を実施するための形態】
【００２１】
以下に、本考案に係る実施の形態について添付図面を参照しながら詳細に説明する。この説明において、具体的な形状、材料、数値、方向等は、本考案の理解を容易にするための例示であって、用途、目的、仕様等にあわせて適宜変更することができる。
【００２２】
図１は、本考案の一実施の形態であるポンプ据付用リフトシャフト支持構造１０を含むコラム部材１２の上端部およびその周辺を示す図であり、図２は図１において一点鎖線で囲む部分Ａの拡大図である。なお、下記においては、上述した従来のポンプ据付用リフトシャフト支持構造１１と異なる構成について主として説明するものとし、既に説明したポンプ据付用リフトシャフト支持構造１１と同一の又は対応する構成要素については同一符合を付してそれらの説明をここで援用することとする。
【００２３】
図１および２に示すように、本実施形態のポンプ据付用リフトシャフト支持構造１０は、ヘッドプレート２４を貫通して設けられ、下端部に連結された吊下げリング３４に連結金具３６を介してケーブル１８（吊り下げ部材）の上端側が連結されるリフトシャフト２２と、リフトシャフト２２が挿通された状態でヘッドプレート２４に対して固定される固定部材３８と、固定部材３８とリフトシャフト２２の上端部に固定されたフランジ部４２との間に挟持された状態で配置される所定長さのカラー部材４４とを備える。
【００２４】
ヘッドプレート２４上に立設された円筒状の支持部材２６の上端部には、径方向外側に張り出した固定フランジ２７が一体形成されている。固定フランジ２７の中央部には、支持部材２６の内部空間に連通する貫通穴が形成され、その貫通穴の内周面に雌ねじ部２７ａが形成されている。なお、本実施形態では、固定フランジ２７を有する支持部材２６がヘッドプレート２４の一部として構成されている。また、ヘッドプレート２４上には、ポンプＰのモータに給電するための電力ケーブル１３ａがコラム部材１２内から引き出される電線管１３と、ポンプＰに付設された振動計に接続される同軸ケーブル１５ａがコラム部材１２内から引き出される振動計用ケーブル管１５とが取り付けられている。
【００２５】
上記固定部材３８は、それぞれ略円筒状をなす固定部３９と調整部４０とから構成されている。固定部３９は、下部外周面に雄ねじ部３９ａを有しており、この雄ねじ部３９ａが上記固定フランジ２７の雌ねじ部２７ａに螺合して締め付けられることによって支持部材２６ひいてはヘッドプレート２４に対して固定される。また、固定部３９の内周面には、軸方向に沿う所定長さ（例えば５０ｍｍ）にわたって雌ねじ部３９ｂが形成されている。
【００２６】
一方、調整部４０の下部外周面には、雄ねじ部４０ａが形成されており、この雄ねじ部４０ａを固定部３９の雌ねじ部３９ｂに螺合させることによって調整部４０が固定部３９に連結されるが、その螺合深さを調整することにより固定部３９に対する調整部４０の高さ位置を微調整できるようになっている。
【００２７】
上記固定部３９および調整部４０の各内部には、支持部材２６内から延出するリフトシャフト２２がそれぞれ挿通されている。リフトシャフト２２の上端部は、調整部４０から上方に突出した状態になっている。なお、支持部材２６において、リフトシャフト２２の外周面と支持部材２６の内周面との間はシール部２５によって気密状態にシールされている。
【００２８】
リフトシャフト２２の上端面には、雌ねじ穴２２ａが軸方向に沿って形成されている。この雌ねじ穴２２ａに吊下げリング４８のボルト部５０がフランジ部４２の貫通穴を介して締め付けられている。これにより、リフトシャフト２２の上端部にフランジ部４２が固定されている。
【００２９】
リフトシャフト２２の上端にあるフランジ部４２と固定部材３８の調整部４０との間に配置されているカラー部材４４は、本実施形態では、軸方向長さが比較的短い（例えば５０ｍｍ）第１カラー部材４４ａと、軸方向長さが比較的長い（例えば１００ｍｍ）第２カラー部材４４ｂとからなっている。第１カラー部材４４ａの下端部および第２カラー部材４４ｂの上端部は、上記調整部４０およびフランジ部４２にそれぞれ形成された凹部に嵌合されており、また、第１カラー部材４４ａと第２カラー部材４４ｂとは、凹凸嵌合をなす連結部５２によって連結されている。これにより、カラー部材４４ａ，４４ｂがリフトシャフト２２から外れることが防止されている。
【００３０】
カラー部材４４の略Ｃ字状の横断面形状が図２中に示されている。カラー部材４４は、リフトシャフト２２の直径よりも若干大きい内周径を有する円筒部材の側壁を軸方向にわたって切り欠いて形成されて切欠部４５を有している。この切欠部４５の幅ｗは、リフトシャフト２２の直径よりも若干大きく形成されている。これにより、吊下げリング４８にホイストのフックを引っ掛けてリフトシャフト２２を引き上げた状態で、カラー部材４４をリフトシャフト２２の側方から切欠部４５を介して嵌め込むことができる。なお、カラー部材の横断面形状は略Ｃ字状に限定されず、例えば略コ字状等の他の横断面形状であってもよい。
【００３１】
上記カラー部材４４は、コラム部材１２内の最下部近傍の基準位置にポンプＰを正確に配置するために、ケーブル１８を介してポンプＰを吊り下げるリフトシャフト２２のヘッドプレート２４に対する固定位置を迅速かつ容易に設定するためのものである。そのために、カラー部材４４としては、軸方向の長さが異なる複数種類のものが予め準備されるのが好ましい。このようにすれば、コラム部材１２内でのポンプＰの微調整前停止位置に応じて適切な長さの１つのカラー部材４４を選択するか、または、上記のように２つの異なる長さのカラー部材４４ａ，４４ｂの連結長さが上記微調整前停止位置に応じた適切な長さになるようにすることによって、ポンプＰの据付作業をより迅速かつ容易に行うことができる。
【００３２】
続いて、本実施形態のポンプ据付用リフトシャフト支持構造１０を用いてのポンプＰのコラム部材１２内への据付作業について説明する。
【００３３】
まず、巻上機４に巻かれたリフトケーブル（吊り下げ部材）１８ａにポンプＰを連結し、巻上機４を操作してリフトケーブル１８ａに吊り下げられたポンプＰをコラム部材１２内にゆっくり降ろしていく。このとき、ポンプＰには、コラム部材１２の下面に取り付けられたスプール１９に巻回されている２本のサポートケーブル（吊り下げ部材）１８ｂも連結されているが、ヘッドプレート２４はコラム部材１２の上端部のフランジ部１６にはまだ載せられていない。
【００３４】
コラム部材１２の上端部から基準位置までの長さは設計上決められていることから、巻上機４によってポンプＰが基準位置に到達する前、例えば３０ｃｍ程度上の位置まで降下させる。そして、その位置でポンプＰの降下を一旦停止させ、リフトケーブル１８ａを巻上機４から取り外してサポートケーブル１８ｂと共にその上端側部分をコネクションプレート２０に固定する。それから、ヘッドプレート２４をコラム部材１２のフランジ部１６上にガスケット３０を介して載せて、ボルトおよびナットで締結することにより気密状態に取り付けられる（図３参照）。
【００３５】
このとき、図３に示すように、ヘッドプレート２４に挿通されているリフトシャフト２２の上端部のフランジ部４２と固定部材３８の調整部４０との間には円筒状をなすスペーサカラー６０が製造工場からの出荷段階から配置されている。スペーサカラー６０は、２分割された半円筒部材がリフトシャフト２２の外周を包んで組み合わされることにより円筒状をなすよう構成されている。スペーサカラー６０は、調整部４０の雄ねじ部４０ａを緩めて固定部３９に対して上昇させることによって、上記フランジ部４２と調整部４０との間に挟持されて固定された状態になっている。そのため、リフトシャフト２２にスペーサカラーを固定するために従来用いられていた特別な部材やボルト・ナット等は不要である。
【００３６】
ヘッドプレート２４がコラム部材１２の上端に固定された後、リフトシャフト２２の上端の吊下げリング４８に巻上機４のチェーンブロック６に連結されるフックを引っ掛けて、リフトシャフト２２およびそれに吊り下げられているポンプＰを支持する。そして、調整部４０を締め付けて下降させることにより、図４に示すように、それぞれ半円筒状をなす２つのスペーサカラー６０が分離してリフトシャフト２２から取り外される。
【００３７】
その後、タンク外作業者８は、タンク内作業者７からの指示にしたがってチェーンブロック６を操作してポンプＰを徐々に降ろしていく。そして、ポンプＰがほぼ基準位置に到達したことを確認したタンク内作業者７からの連絡を受けて、タンク外作業者８は、リフトシャフト２２の上端部のフランジ部４２と固定部材３８の調整部４０との間の距離にほぼ相当する長さのカラー部材４４を選択して、上述したようにリフトシャフト２２の外周に嵌め込む。この状態で、タンク外作業者８がチェーンブロック６を操作してリフトシャフト２２を若干降下させることによって、カラー部材４４が上記フランジ部４２および調整部４０間に挟持されて固定されることになる。
【００３８】
その後、タンク内作業者７は、フートバルブ１４の開度実測値に基づいてポンプＰが基準位置±数ｍｍの位置に納まっているか否かを確認する。その範囲から外れていれば、タンク内作業者７はポンプ位置の微調整寸法をタンク外作業者８に連絡する。この連絡を受けてタンク外作業者８は、工具を使って調整部４０を回転させることにより固定部３９に対して調整部４０を上記微調整寸法だけ上昇または降下させる。これにより、ポンプＰの据付作業が完了する。
【００３９】
上述したように、本実施形態のポンプ据付用リフトシャフト支持構造１０によれば、コラム部材１２のポンプ位置がほぼ基準位置になったときに適切な長さの１つ又は複数のカラー部材４４を選択してリフトシャフト２２に側方から嵌め込むことによって、ポンプＰをコラム部材１２内の基準位置に据え付ける作業をより迅速かつ容易に行うことができる。また、コラム部材１２におけるポンプ位置の微調整は、ヘッドプレート２４の上部に設けた調整部４０を回転させることによって行うことができるから、これについても容易かつ迅速に行うことができる。
【００４０】
したがって、従来のように、リフトシャフト２２の下端に連結されていたポンプ位置微調整用のターンバックルが不要になるとともに、コラム部材１２の上端部のフランジ部１６に対してヘッドプレート２４を何度も開閉する必要がないことからシム部材も不要になる。また、シム部材を用いないことから、タンク内作業者７は、シム部材の厚みを考慮してポンプ位置の微調整量を判断しなくてもよく、不慣れな作業者にとってもタンク内での確認作業が容易なものになる。
【００４１】
なお、上記においては、ポンプがワイヤ製のケーブルで吊り下げられるものとして説明したが、吊り下げ部材はこれに限定されるものではなく、チェーン等の他の吊り下げ部材が用いられてもよい。
【００４２】
また、上記実施形態では、ヘッドプレート２４上に立設した支持部材２６の上端部の固定フランジ２７に固定部材３８を固定するようにしたが、本考案はこれに限定されず、支持部材を省略して固定部材をヘッドプレート上に直に固定するよう構成してもよい。
【符号の説明】
【００４３】
１  タンク、２  タンク底部、３  タンク外部、４  巻上機、５  秤、６  チェーンブロック、７  タンク内作業者、８  タンク外作業者、１０，１１  ポンプ据付用リフトシャフト支持構造、１２  コラム部材、１３  電線管、１４  フートバルブ、１５  振動計用ケーブル管、１６  フランジ部、１８  ケーブル、１８ａ  リフトケーブル、１８ｂ  サポートケーブル、１９  スプール、２０  コネクションプレート、２２  リフトシャフト、２２ａ  雌ねじ穴、２４  ヘッドプレート、２５  シール部、２６  支持部材、２７  固定フランジ、２７ａ  雌ねじ部、２８  ターンバックル、３０  ガスケット、３２  シム部材、３４  吊下げリング、３６  連結金具、３８  固定部材、３９  固定部、３９ａ  雄ねじ部、３９ｂ  雌ねじ部、４０  調整部、４０ａ  雄ねじ部、４２  フランジ部、４４，４４ａ，４４ｂ  カラー部材、４５  切欠部、４８  吊下げリング、５０  ボルト部、５２  連結部、６０  スペーサカラー、Ｐ  ポンプ、ｗ  切欠部幅。
【図１】
0003155306.tif 000003
【図２】
0003155306.tif 000004
【図３】
0003155306.tif 000005
【図４】
0003155306.tif 000006
【図５】
0003155306.tif 000007
【図６】
0003155306.tif 000008